【手続補正書】
【提出日】平成15年12月15日(2003.12.15)
【手続補正１】
【補正対象書類名】明細書
【補正対象項目名】特許請求の範囲
【補正方法】変更
【補正の内容】
【特許請求の範囲】
【請求項１】
ネットワークを介して接続された情報処理装置に所定の情報を送信する送信手段と、前記情報処理装置から送信される画像形成要求及び画像形成データを受信する受信手段と、前記画像形成要求が実行可能な処理要求であるか否かを判別するための判別手段と、前記実行可能な画像形成要求に関連する前記画像形成データを画像データに展開するための画像展開手段と、前記展開された画像データを記憶する記憶手段と、記録用紙上に前記展開された画像データの画像を形成する画像形成手段とを備えている画像形成装置において、
前記画像形成要求が実行可能な処理要求である時に、前記画像展開手段が前記実行可能な画像形成要求に関連する前記画像形成データを予め画像データに展開し、前記送信手段が前記情報処理装置に前記画像形成要求が実行可能である旨を送信し、該送信に応じてなされる画像形成指示に基づき、前記画像形成手段が前記展開された画像データの画像を形成するように構成されていることを特徴とする画像形成装置。
【請求項２】
前記送信手段は、前記画像形成装置が備えている構成機器の構成情報及び前記画像形成装置の状態を示すステータス情報を前記情報処理装置に送信することを特徴とする請求項１記載の画像形成装置。
【請求項３】
前記記憶手段が不揮発性記憶媒体であることを特徴とする請求項１又は２記載の画像形成装置。
【請求項４】
前記ネットワークが電話回線又はディジタル回線を利用することを特徴とする請求項１乃至３のいずれか１項記載の画像形成装置。
【請求項５】
ネットワークを介して接続された画像形成装置に画像形成要求及び画像形成データを送信する送信手段と、前記画像形成装置より前記画像形成要求が実行可能である旨を受信する受信手段と、前記実行可能な画像形成要求を一覧表示する表示手段とを備え、前記送信手段は、前記表示手段に一覧表示された前記実行可能な画像形成要求を選択することにより、前記選択された画像形成要求を前記画像形成装置に送信することを特徴とする情報処理装置。
【請求項６】
前記画像形成装置が請求項１乃至５のいずれか１項記載の画像形成装置であることを特徴とする請求項５記載の情報処理装置。
【請求項７】
ネットワークを介して接続された情報処理装置に所定の情報を送信する送信工程と、前記情報処理装置から送信される画像形成要求及び画像形成データを受信する受信工程と、前記画像形成要求が実行可能な処理要求であるか否かを判別するための判別工程と、前記実行可能な画像形成要求に関連する前記画像形成データを画像データに展開するための画像展開工程と、前記展開された画像データを記憶する記憶工程と、記録用紙上に前記展開された画像データの画像を形成する画像形成工程とを含む画像形成装置の制御方法において、
前記画像形成要求が実行可能な処理要求である時に、前記画像展開工程で前記実行可能な画像形成要求に関連する前記画像形成データを予め画像データに展開し、前記送信工程で前記情報処理装置に前記画像形成要求が実行可能である旨を送信し、該送信に応じてなされる画像形成指示に基づき、前記画像形成工程で前記展開された画像データの画像を形成するように構成されていることを特徴とする画像形成装置の制御方法。
【請求項８】
前記送信工程は、前記画像形成装置が備えている構成機器の構成情報及び前記画像形成装置の状態を示すステータス情報を前記情報処理装置に送信することを特徴とする請求項７記載の画像形成装置の制御方法。
【請求項９】
前記ネットワークが電話回線又はディジタル回線を利用することを特徴とする請求項７又は８記載の画像形成装置の制御方法。
【請求項１０】
ネットワークを介して接続された画像形成装置に画像形成要求及び画像形成データを送信する送信工程と、前記画像形成装置より前記画像形成要求が実行可能である旨を受信する受信工程と、前記実行可能な画像形成要求を一覧表示する表示工程とを含み、前記送信工程は、前記表示工程で一覧表示された前記実行可能な画像形成要求を選択することにより、前記選択された画像形成要求を前記画像形成装置に送信することを特徴とする情報処理装置の制御方法。
【請求項１１】
前記画像形成装置が請求項１乃至４のいずれか１項記載の画像形成装置であることを特徴とする請求項１０記載の情報処理装置の制御方法。
【手続補正２】
【補正対象書類名】明細書
【補正対象項目名】０００７
【補正方法】変更
【補正の内容】
【０００７】
【課題を解決するための手段】
上記目的を達成するため、請求項１の画像形成装置は、ネットワークを介して接続された情報処理装置に所定の情報を送信する送信手段と、前記情報処理装置から送信される画像形成要求及び画像形成データを受信する受信手段と、前記画像形成要求が実行可能な処理要求であるか否かを判別するための判別手段と、前記実行可能な画像形成要求に関連する前記画像形成データを画像データに展開するための画像展開手段と、前記展開された画像データを記憶する記憶手段と、記録用紙上に前記展開された画像データの画像を形成する画像形成手段とを備えている画像形成装置において、前記画像形成要求が実行可能な処理要求である時に、前記画像展開手段が前記実行可能な画像形成要求に関連する前記画像形成データを予め画像データに展開し、前記送信手段が前記情報処理装置に前記画像形成要求が実行可能である旨を送信し、該送信に応じてなされる画像形成指示に基づき、前記画像形成手段が前記展開された画像データの画像を形成するように構成されていることを特徴とする。


【手続補正３】
【補正対象書類名】明細書
【補正対象項目名】０００８
【補正方法】変更
【補正の内容】
【０００８】
請求項２の画像形成装置は、請求項１記載の画像形成装置において、前記送信手段は、前記画像形成装置が備えている構成機器の構成情報及び前記画像形成装置の状態を示すステータス情報を前記情報処理装置に送信することを特徴とする。


【手続補正４】
【補正対象書類名】明細書
【補正対象項目名】０００９
【補正方法】変更
【補正の内容】
【０００９】
請求項３の画像形成装置は、請求項１又は２記載の画像形成装置において、前記記憶手段が不揮発性記憶媒体であることを特徴とする。


【手続補正５】
【補正対象書類名】明細書
【補正対象項目名】００１１
【補正方法】変更
【補正の内容】
【００１１】
請求項５の情報処理装置は、ネットワークを介して接続された画像形成装置に画像形成要求及び画像形成データを送信する送信手段と、前記画像形成装置より前記画像形成要求が実行可能である旨を受信する受信手段と、前記実行可能な画像形成要求を一覧表示する表示手段とを備え、前記送信手段は、前記表示手段に一覧表示された前記実行可能な画像形成要求を選択することにより、前記選択された画像形成要求を前記画像形成装置に送信することを特徴とする情報処理装置。


【手続補正６】
【補正対象書類名】明細書
【補正対象項目名】００１３
【補正方法】変更
【補正の内容】
【００１３】
請求項７の画像形成装置の制御方法は、ネットワークを介して接続された情報処理装置に所定の情報を送信する送信工程と、前記情報処理装置から送信される画像形成要求及び画像形成データを受信する受信工程と、前記画像形成要求が実行可能な処理要求であるか否かを判別するための判別工程と、前記実行可能な画像形成要求に関連する前記画像形成データを画像データに展開するための画像展開工程と、前記展開された画像データを記憶する記憶工程と、記録用紙上に前記展開された画像データの画像を形成する画像形成工程とを含む画像形成装置の制御方法において、前記画像形成要求が実行可能な処理要求である時に、前記画像展開工程で前記実行可能な画像形成要求に関連する前記画像形成データを予め画像データに展開し、前記送信工程で前記情報処理装置に前記画像形成要求が実行可能である旨を送信し、該送信に応じてなされる画像形成指示に基づき、前記画像形成工程で前記展開された画像データの画像を形成するように構成されていることを特徴とする。


【手続補正７】
【補正対象書類名】明細書
【補正対象項目名】００１４
【補正方法】変更
【補正の内容】
【００１４】
請求項８の画像形成装置の制御方法は、請求項７記載の画像形成装置の制御方法において、前記送信工程は、前記画像形成装置が備えている構成機器の構成情報及び前記画像形成装置の状態を示すステータス情報を前記情報処理装置に送信することを特徴とする。


【手続補正８】
【補正対象書類名】明細書
【補正対象項目名】００１６
【補正方法】変更
【補正の内容】
【００１６】
請求項１０の情報処理装置の制御方法は、ネットワークを介して接続された画像形成装置に画像形成要求及び画像形成データを送信する送信工程と、前記画像形成装置より前記画像形成要求が実行可能である旨を受信する受信工程と、前記実行可能な画像形成要求を一覧表示する表示工程とを含み、前記送信工程は、前記表示工程で一覧表示された前記実行可能な画像形成要求を選択することにより、前記選択された画像形成要求を前記画像形成装置に送信することを特徴とする情報処理装置の制御方法。


【手続補正９】
【補正対象書類名】明細書
【補正対象項目名】００９６
【補正方法】変更
【補正の内容】
【００９６】
【発明の効果】
以上説明したように、請求項１の画像形成装置によれば、画像形成要求が実行可能な処理要求である時に、画像展開手段が実行可能な画像形成要求に関連する画像形成データを予め画像データに展開し、送信手段が情報処理装置に画像形成要求が実行可能である旨を送信し、該送信に応じてなされる画像形成指示に基づき、画像形成手段が展開された画像データの画像を形成するように構成されているので、情報処理装置から送信される実行可能な画像形成要求を受信した時には、既に画像形成データは画像データに展開されており、ユーザの所望の処理を速やかに実行することができる。


【手続補正１０】
【補正対象書類名】明細書
【補正対象項目名】００９８
【補正方法】変更
【補正の内容】
【００９８】
請求項７の画像形成装置の制御方法によれば、画像形成要求が実行可能な処理要求である時に、画像展開工程で実行可能な画像形成要求に関連する画像形成データを予め画像データに展開し、送信工程で情報処理装置に画像形成要求が実行可能である旨を送信し、該送信に応じてなされる画像形成指示に基づき、画像形成工程で展開された画像データの画像を形成するように構成されているので、情報処理装置から送信される実行可能な画像形成要求を受信した時には、既に画像形成データは画像データに展開されており、ユーザの所望の処理を速やかに実行することができる。